(57)【特許請求の範囲】
【請求項１】
ランプソケット及びランプベースからなる配列体であって、
ＬＥＤが付与された光源を支持するランプソケットと、
冷却要素と、
前記ＬＥＤを電気的に接続するソケット接点を備えるソケットハウジングと、
伝熱性要素に接続されるＬＥＤを支持していて、ソケットハウジングに挿入可能であるとともに、前記ＬＥＤに電力を付与するように接触力によって前記ソケット接点に接続可能なベース接点を備えるランプベースと、を備え、
ソケット側の前記冷却要素が、熱伝達作用を促進する接触圧によって、ベース側の伝熱性要素に接続され、
前記冷却要素が動作の際にＬＥＤによって生成される熱を吸収するように、前記接触圧が適切なデバイスを通じて生成される押圧力を通じて付与され、
前記ソケット接点が前記押圧力の作用方向に対して平行に支持されており、それにより、それらソケット接点が前記ソケットハウジング内において自由に動けるようになるか、又は前記ベース接点が前記押圧力の作用方向に対して平行に支持されていて、それによりそれらベース接点が前記ランプベースにおいて自由に動けるようになるか、或いは前記ソケット接点及び前記ベース接点が前記押圧力の作用方向に対して平行に支持されており、それにより、前記ソケット接点が前記ソケットハウジング内において自由に動けるとともに、前記ベース接点が前記ランプベースにおいて自由に動けるようになる、配列体。
【請求項２】
前記ベース接点が前記押圧力の作用方向に対して横方向に突出する接点として形成されており、前記ソケット接点と前記ベース接点との間の接触力が前記押圧力と同一の作用方向を有する、請求項１に記載の配列体。
【請求項３】
前記ソケット接点が、前記ベース接点を受容する接触クランプとして形成されており、ベース接点を互いの間に受容する接触クランプアームの接触力が、互いに対向するように向けられていて前記押圧力に対して平行な作用方向を有する、請求項１に記載の配列体。
【請求項４】
ランプソケット及びランプベースからなる配列体であって、
ＬＥＤが付与された光源を支持するランプソケットと、
冷却要素と、
前記ＬＥＤを電気的に接続するソケット接点を備えるソケットハウジングと、
伝熱性要素に接続されるＬＥＤを支持していて、ソケットハウジングに挿入可能であるとともに、前記ＬＥＤに電力を付与するように接触力によって前記ソケット接点に接続可能なベース接点を備えるランプベースと、を備え、
ソケット側の前記冷却要素が、熱伝達作用を促進する接触圧によって、ベース側の伝熱性要素に接続され、
前記冷却要素が動作の際にＬＥＤによって生成される熱を吸収するように、前記接触圧が適切なデバイスを通じて生成される押圧力を通じて付与され、
前記ソケット接点と前記ベース接点との間の接触力が、前記押圧力の作用方向に対して横方向に向けられる、配列体。
【請求項５】
前記ベース接点が前記冷却要素に向かう方向において前記ランプベースから突出する接点として形成される、請求項４に記載の配列体。
【請求項６】
前記ソケット接点が前記ベース接点を支持する接触クランプとして形成される、請求項５に記載の配列体。
【請求項７】
前記ソケット接点又は前記ベース接点が、前記ランプソケット又は前記ランプベースにおける接触領域として形成されており、前記ベース接点又は前記ソケット接点が前記接触領域に接触する、請求項４に記載の配列体。
【請求項８】
前記ソケット接点と前記ベース接点との間の接触力が、前記押圧力の作用方向に対して横方向に向けられる力成分を含む、請求項１に記載のランプソケット及びランプベース。
【請求項９】
前記ソケット接点と前記ベース接点との間の接触力が、前記押圧力の作用方向に向けられていて接触圧分布の均一性に影響を与えない力成分を含む、請求項４に記載のランプソケット及びランプベース。
【発明の詳細な説明】
【技術分野】
【０００１】
本発明は、ＬＥＤが付与された光源を支持するランプソケットに関し、該ランプソケットは、冷却要素と、ＬＥＤを電気的に接続するソケット接点を備えるソケットハウジングと、伝熱性要素に接続されるＬＥＤを支持していてソケットハウジングに挿入可能であるとともにベース接点を備えるランプベースと、を備える。それらベース接点は接触力によってソケット接点を通じて電気的に接触可能であり、ＬＥＤに電力を供給する。ソケット側の冷却要素は、場合によっては熱伝達作用を促進するデバイス、例えば熱伝導性フォイル又は熱伝導性ペーストを通じて、熱伝達作用を促進する接触圧によってＬＥＤ側の熱伝導性要素に接続される。動作中にＬＥＤによって生成される熱を吸収するために、接触圧は、適切なデバイスを通じてもたらされる接触力によって付与される。
【背景技術】
【０００２】
このタイプのランプソケットは当該技術分野において公知である。それらランプソケットは、小型の蛍光ランプソケット及びランプベースとして形成されるのが典型的である。ランプベースはソケットに挿入され、差込ピンのように回転させて固定される。蛍光管とは異なり、これらの構成は片側ソケットシステムと称される。回転させることによって、ソケット接点及びベース接点がさらに互いに接続され、ランプが電気的に接触される。このロック作用の原理はツイストロックシステムとしても知られている。また、ランプソケットは、特にＬＥＤが付与された光源用として当該技術分野において公知であり、ベースは冷却要素の表面に対して平行に挿入され、この過程は電気的な接触作用をも含んでいる。
【０００３】
当該技術分野において、ランプソケット及びランプベースの目的は、ランプを機械的に支持し、電気的接触をもたらすことである。
【０００４】
しかしながら、ＬＥＤをベースにした発光体の耐用年数は、ＬＥＤの動作時に発生される熱の最適な散逸作用に応じて定まる。ＬＥＤは熱に対して特に敏感である。そのため、このタイプのランプベースは、ソケットに配列される冷却要素に接触する伝熱性要素を備えている。伝熱性要素と冷却要素との間における特定の接触圧が熱伝達作用に影響を与えることは明らかである。したがって、少なくとも１つのＬＥＤを備えた光源のためのソケット及びベースは、機械的支持作用及び電気的支持作用の他に、最適な熱散逸作用を提供する必要があることを特徴とする。そのため、ＬＥＤ発光体のためのソケット及びベースは、構成的に要求されることに関連して、同等の小型蛍光ランプとは大きく異なる。
【０００５】
従来技術に係るランプソケット及びランプベースの配列体においては、ベース側の伝熱性要素とソケット側の冷却要素との間の接触圧が熱伝達作用の性質における唯一の基準ではないことが明らかになった。接触圧が適切に付与されるのにもかかわらず、多くのソケットがＬＥＤの早期劣化を引き起こす。試験は、伝熱性要素及び冷却用要素の接触表面にわたる接触圧分布の均一性が熱伝達作用の性質を決定することを示している。
【発明の概要】
【発明が解決しようとする課題】
【０００６】
したがって、本発明の目的は、伝熱性要素と冷却要素との間の接触面にわたって均一に分布する接触圧を付与するランプソケット及びランプベースを提供することである。
【課題を解決するための手段】
【０００７】
この目的は特許請求の範囲の請求項１に係る特徴を備えるランプソケット及びランプベースによって達成される。特に、その特徴的な特性によれば、ソケット接点とベース接点との間の電気的接触作用が、接触力の反対に作用する力が作用しない状態でそれら接点を形成し、又は支持すること、或いはそれら両方によってもたらされる。
【０００８】
本発明は、接触圧を付与する接触力に対向して向けられる力成分が小さくてもなお、圧力分布を顕著に変化させるという知見を利用する。このことに基づいて、本発明は、ソケット接点及びベース接点の適切な構成体又はソケットハウジング若しくはランプベースにおけるそれら接点の支持体によって、接触力が押圧力に対向して向けられる電気的接触状態を防止する。
【０００９】
ソケット接点とベース接点との間の接触力が、押圧力の作用方向に対して横方向に向けられる力成分を含むことを特徴とする実施形態が特に好ましい。
【００１０】
或いは、ソケット接点とベース接点との間の接触力が、押圧力の作用方向に向けられる力成分を有していて、接触圧分布の均一性に影響を与えないことも考えられる。
【００１１】
前述した両方の実施形態は、接触力の作用方向が押圧力及び押圧力分布の均一性に対して負の影響を与えないことを提供する。
【００１２】
ソケット接点とベース接点との間の接触作用が押圧力を増大させるように提供されることも考えられる。
【００１３】
特定の実施形態は、ベース接点がベースから冷却要素に向かって突出する接点、特に接触ピンとして形成され、ソケット接点とベース接点との間の接触力が押圧力の作用方向に対して横方向に向けられることを提供する。
【００１４】
これらに追加されるものとして、ベース接点が、ベース接点を支持する、特に２つの接触アームの間の接触ピンを支持する接触クランプとして形成されることが提供されうる。ベース接点を互いの間に受容する接触クランプが確実な電気的接触作用を提供するのが特に有利である。
【００１５】
或いは、ベース接点がベース周囲部から側方に突出する接点、特に押圧力の作用方向に対して横方向に向けられる接点、例えば平坦なブレード接点として形成されており、ソケット接点とベース接点との間の接触力が押圧力と同一の作用方向を有することが考えられる。ベース周囲部にわたって均一に分布する平坦なブレード接点によると、この実施形態は、伝熱性要素及び冷却要素の接触面における接触圧分布の均一性に負の影響を与えない。
【００１６】
しかしながら、押圧力の作用方向に対向して向けられる接触力が付与され、かつ伝熱性要素と冷却要素との間の接触圧に影響を与える押圧力の作用方向に関連して負の影響のある接触力がないようにした、接点配列体を提供することも考えられる。このタイプの実施形態は、ソケット接点が接触クランプとして形成されていてソケット接点、特に互いの間の平坦なブレード接点を受容しており、互いの間のソケット接点を受容する接触アームの接触力が、互いに対して対向して向けられ、かつ押圧力の作用方向に対して平行に向けられるとともに、ソケット接点が押圧力の作用方向に対して平行にソケットハウジングにおいて自由に動ける状態で支持されることと、ソケット接点が押圧力の作用方向に対して平行に支持され、ランプソケットにおいて自由に動けるように支持されることとのうちの少なくとも一方を特徴とする。
【００１７】
さらに、接触領域がソケット又はベースに形成されていて、ベース接点又はソケット接点がそれら接触領域において接触し、接触力が押圧力の作用方向に対して横方向に向けられることを特徴とする実施形態も考えられる。
【図面の簡単な説明】
【００１８】
【図１】本発明に係るランプソケット及びランプベースの分解図を表す図である。
【図２】ソケットハウジングをベース接点の平面における鉛直断面で見た図１に係る図である。
【図３】図２の詳細円部ＩＩＩに係る詳細図である。
【図４】ソケットハウジングが図示されないようにした図２に係る図である。
【図５】図４の詳細円部Ｖに係る詳細図である。
【図６】図２に係る側面図である。
【図７】図６の詳細円部ＶＩＩに係る詳細図である。
【図８】ソケットハウジングがソケット接点の平面において鉛直方向に切り取られた状態において、本発明の第２の実施形態を斜視図で表す図である。
【図９】図８の詳細円部ＩＸに係る図である。
【図１０】ソケットハウジングが図示されないようにした図８に係る図である。
【図１１】図１０の詳細円部ＸＩに係る詳細図である。
【図１２】本発明の別の実施形態を斜視図で表すとともに、ソケット接点を通る断面に沿って見た鉛直断面におけるソケットハウジングを表す図である。
【図１３】図１２の詳細円部ＸＩＩＩに係る詳細図である。
【図１４】ソケットハウジングが省略された図１２に係る図である。
【図１５】図１４の詳細円部ＸＶに係る図である。
【図１６】ソケットハウジングがソケット接点の平面において鉛直方向に切り取られた状態において、本発明の別の実施形態を斜視図で表す図である。
【図１７】図１６の詳細円部ＸＶＩＩに係る詳細図である。
【図１８】ソケットハウジングが省略された図１６に係る図である。
【図１９】図１８の詳細円部ＩＸＸに係る詳細図である。
【図２０】力の作用方向を示す本発明の追加の実施形態の概略図である。
【図２１】力の作用方向を示す本発明の追加の実施形態の概略図である。
【図２２】力の作用方向を示す本発明の追加の実施形態の概略図である。
【図２３】力の作用方向を示す本発明の追加の実施形態の概略図である。
【発明を実施するための形態】
【００１９】
図面を参照しながら、複数の実施形態に基づいて本発明の追加の詳細及び利点を説明する。
技術的に同等又は同一の構成要素には、同様の参照符号が図１から図１９を通して使用される。
これら図面において、ランプソケット及びランプベースの配列体は、全体として参照符号１０が付与される。
【００２０】
冷却要素１２を備えるランプソケット１１が図示されており、ソケット接点１４が形成されたソケットハウジング１３が冷却要素１２に配列されている。冷却要素は例えばランプハウジングと一体的な要素であってもよい。
【００２１】
ソケットハウジング１３に向けられた冷却要素１２の表面は平面状に形成されている。冷却要素１２の、ソケットハウジング１３の反対に配列される底面には、複数の冷却リブ１５が形成されており、表面積を増大させるとともに熱散逸作用を向上させる。
【００２２】
ソケットハウジング１３は、本実施形態において円形の中央凹所として形成されるベース受容部１６を備えている。ランプソケット１７は、冷却要素から離れて向けられる光学部１８を備えており、１つ又は複数のＬＥＤがランプベース１７及び光学部１８の移行部分に配列されている。この実施形態において、ランプベース１７は、ベース受容部１６に一致する輪郭を有するように形成され、すなわち円筒状に形成される。ランプソケット１７から半径方向に突出する支持カム１９は、ランプベース１７をソケットハウジング１３に挿入したときにロック溝２０を貫通するとともに、差込ピンのロック部のように、ソケットハウジング１３の、適宜形成される壁部の後方まで達している。図１から図７に係る第１の実施形態において、ベース１７は、接触ピン２２として形成されていて半径方向に突出するベース接点２１を備えている。これらベース接点は、ランプベース１７をソケットハウジング１３に挿入したときに挿入溝２３を貫通し、したがって、ソケットハウジング１３の内部空間まで移動する。ランプベース１７がロック方向Ｖに回転されるとともに、差込ピンタイプのロック部に対する終端停止部に達したとき、接触ピン２２がソケット接点１４に係合する。
【００２３】
ランプソケット１１及びランプベース１７を備える配列体１０において、ランプソケット１１は下方の構成要素と考えられるとともに、ランプベース１７は上方の構成要素とみなされる。
図１から図７により分かるように、ソケット接点１４は、互いに対向して配列されていて互いに対して予め付勢された２つの接触アーム２５を備える接触クランプ２４として形成される。
【００２４】
図２において、ランプソケット１１及びランプベース１７の配列体１０がその全体において再び示されている。ソケット接点１４によって形成される平面に沿って切り取られたソケットハウジング１３によって、接点配列体が視認され易くなっている。
【００２５】
ランプソケット１７は、これ以上詳細には示されない伝熱性要素を支持しており、該伝熱性要素は、一方の側面においてＬＥＤに接触していてソケット１１に配列されるときに他方の側面において冷却要素１２に接触する。このようにして、発光体の動作を通じて生成される熱は発光体から離れて伝達し、冷却要素１２を通して周囲空間に散逸される。したがって、冷却要素１２の接触面と、ベース側の伝熱性要素とは、或る最小接触圧によって互いに接触することが要求される。この最小接触圧は、図示されないデバイスによって発生される接触力によって付与される。典型的には、これらは、付勢力をランプソケット１１及びランプベース１７に互いに対して加えるばね要素である。接触圧は、場合によっては熱伝達作用を向上させる追加のデバイス、例えば熱伝達性フォイル又は熱伝達性ペーストを使用して、ベース側の伝熱性要素と冷却要素１２との表面全体の均一な接触作用をもたらす。したがって、最適な熱伝達作用をもたらす。
【００２６】
電気的に接触するベース接点及びソケット接点による接触圧又は接触圧分布の均一性に対する負の影響を防止するため、本発明は、特に記載される接点構成体及び接点配列体を有する後述する実施形態における解決手段を提供する。
【００２７】
図１から図７に表される接触クランプ２４として形成されるソケット接点１４は、接触ピン２２の半径方向に向けられた外表面を接触アーム２５に接触させる。したがって、接触アーム２５の接触力が、押圧力の方向において軸線方向に、かつ基準として配列体１０を通る長手の中央軸線Ｍを通る押圧力の方向に対向して作用する。このことは図３から図５によって明確に分かる。このタイプの接点配列体において、押圧力に対向して作用する下方接触アーム２５の力成分が接触面に負の影響を与え、そのため接触圧を低下させるリスクが原則として存在する。これを防止するために、ソケット接点１４は、軸線方向に移動可能な接触凹所２６において支持される。この軸線方向は中心軸線１４に対して平行であることを意味する。したがって、図１から図７に係る第１の実施形態におけるソケット接点１４は軸線方向に支持され得ない。この軸線方向はソケットハウジングにおける押圧力の作用方向に対して平行であることを意味する。特に、対向する力は、接触力の作用方向に対向して下方接触アーム２５を通じて付与され得ない。したがって、ランプ接点１１とランプベース１７との間の押圧力に対向して向けられる力成分は、ソケット接点１４と接触ピン２２との間の安全な接触作用のために専ら使用され得るものの、冷却要素１２とベース側の伝熱性要素との間の接触圧に負の影響を与えることはない。接触凹所２６におけるソケット接点１４のクリアランスは、ベース１１及びソケット１７において考えられる軸線方向におけるあらゆる寸法公差が、何ら力を作用させずにブリッジされ（ｂｒｉｄｇｅｄ）得るか、又は補償され得るように寸法決めされる。
【００２８】
本発明の第２の有利な実施形態が図８から図１１に表されている。したがって、ソケット接点１４は概ねＶ字形状の接点として形成されていて、鉛直方向に配列される。この鉛直方向は、クリアランスが形成されることなく、ソケットハウジングによって形成される接触凹所２６における鉛直中心軸線Ｍの方向を意味する。ランプベース１７は、半径方向外側に向けられる接触領域２７を形成する。接触領域２７は、ランプベース１７がランプソケット１１に挿入された後にロック方向に移動するとともに、Ｖ字形状のソケット接点１４に接触する。Ｖ字形状のソケット接点の、ばね留めされるアーム２８は接触領域２７に接触して、電気接点を形成する。ばねアーム２８によって付与される接触力は、ランプソケット１７に向かって半径方向に、又は鉛直中心軸線Ｍに対して横方向に、又は接触力の作用方向に対して横方向に本質的に向けられる。したがって、ベース側の伝熱性要素と冷却要素１２との間における接触力の負の影響がもたらされない。
【００２９】
本発明の第３の実施形態が図１２から図１５に表されている。これは、半径方向に突出する平坦なブレード接点２９を形成するランプソケット１７である。それらブレード接点２９は、次いで接触クランプ２４として形成されるソケット接点１４によって形成されており、接触アーム２５は互いに対向して作用する。したがって、図１から図７に関連する記載は同様に適用される。特に、ソケット接点１４は、鉛直中心軸線Ｍに対して平行に、又は接触力の作用方向に対して平行に、ここでも同様に接触凹所２６において自由に動けるように支持される。
【００３０】
本発明の別の実施形態が図１６から図１９に表されている。これら図面は、平坦なブレード接点を有するランプベース１７を表している。これらブレード接点は、最初はベースから或る区域が半径方向に突出するとともに、冷却要素１２に向かって９０度傾斜する端部区域に移行しており、したがって、鉛直中心軸線に対して平行に、又は接触力の作用方向に対して向けられる。接触クランプ２４として形成されるソケット接点１４は、両側の平坦なブレード接点２９の傾斜した端部区域の周りに到達する。平坦なブレード接点２９の端部区域の配列に起因して、接触アーム２５と、それら接触アームの間に挿入されるブレード接点２９の傾斜した端部区域との間の接触力が、鉛直中心軸線Ｍに対して横方向に、ひいてはベース側の伝熱性要素と冷却要素１２との間の押圧力の作用方向に対して横方向に向けられる。したがって、接触力は、冷却要素１２とベース側伝熱性要素との間の接触圧、又は接触圧分布の均一性に対して全く影響を与えない。
【００３１】
また、続いて図２０から図２３を参照して、本発明をより詳細に説明する。図２０から図２３に係る実施形態において、同様の参照符号が同一又は技術的に同等の構成要素のために使用される。矢印の方向は、各力の作用方向を規定する。
【００３２】
全体として参照符号４０が付与されるランプソケット及びランプベースの配列体が図示されている。ランプソケット４２は、冷却要素４３と、図示されないソケットハウジングと、ソケット接点４４と、を備えている。
【００３３】
全体として参照符号４１が付されるランプベースは、ベースハウジング４５を備えており、伝熱性要素４７が、冷却要素４３に向けられるベースハウジングの底面４６に配列されている。伝熱性要素４７は、或る接触圧ＦAによって、冷却要素４３を、任意にそれらの間に配列される熱伝達性ペースト又は熱伝達性フォイルに接触させる。接触圧ＦAは、これ以上詳細には表されないデバイスによって生成される。このデバイスには、例えばランプベース４１を冷却要素４３と一緒にクランプ留めするばね要素が含まれ得る。図２０から図２３に係る実施形態において、力の作用方向は矢印方向に対応している。したがって、この力はランプソケット４１に衝撃を与え、ランプソケットを冷却要素４３に向かう方向に押圧するとともに、或る実施形態においては、ランプベース４１に向けられる冷却要素の上面４８に対して鉛直に向けられる。他の実施形態も考えられる。特に、力の作用方向は、図２０から図２３に図示されるものとは反対に向けられてもよい。図２０から図２３は、以下に記載される本発明の原理の逆を表しているにすぎない。冷却要素４３と伝熱性要素４７との間の接触圧は、各接触表面にわたって均一に分配される。
【００３４】
伝熱性要素４７と冷却要素４３との間において接触力ＦAによって生成される均一な接触圧は、動作の際にＬＥＤ４９によって生成される熱の最適な伝達作用を提供する。したがって、ＬＥＤはベースハウジング４５において支持される伝熱性要素４７に接触する。
【００３５】
接触力ＦAに対向する力を発生させることなく、適切に選択される接点構成体と、適切に選択される接点支持体とのうちの少なくとも一方によって、ランプベース４１又はランプソケット４２において、ソケット接点４４とベース接点５０との間の接触状態を構成することが本発明の本質的な原理である。このことは、ランプベースによって支持されるベース接点５０と、確実な電力供給作用をＬＥＤのために付与するソケット接点４４と、の間の接触力ＦKが、接触力ＦAに対向して作用する力成分を有しないことを意味する。
【００３６】
図２０は、ソケット接点４４及びベース接点５０の接点配列体を表している。この接点配列体において、ベース接点は接触ピン５１として形成されるとともに、ソケット接点は接触クランプ５２として形成される。接触クランプ５２は２つの接触アーム５３を備えており、これら接触アーム５３は、互いに対向して向けられていて接触ピン５１を互いの間において受容する。
【００３７】
ベース接点５０は、冷却要素４３に向かう方向において、接触力ＦAの作用方向に対して平行に向けられる。ソケット接点４４の接触アーム５３は同一方向に向けられる。接触力ＦKは押圧力ＦAに対して概ね横方向に作用する。
【００３８】
代替的な実施形態が図２１に表されている。ベースハウジング４５は外周部に形成されており、ベース接点５０は接触領域５４として形成される。ベースハウジングに向かう方向に予め付勢されたばねアーム５５として形成されるソケット接点４４は、押圧力ＦAに対して横方向に向けられる接触力ＦKによって接触領域５４に接触する。また、この実施形態は、押圧力に対向する力を発生することなく、電気的接触作用を提供する。
【００３９】
図２２に表される本発明の実施形態は、ソケット接点４４及びベース接点５０の、別の非常に有利な配列体を含んでいる。
【００４０】
ベース接点５０はベースハウジング４５の周囲面に対して突出しており、したがって、それらベース接点５０は半径方向に向けられる。特に、それらベース接点５０は平坦なブレード接点５６である。押圧力ＦAの作用方向に対して横方向に向けられるこれら平坦なブレード接点５６は、ソケット接点４４によって、平坦なブレード接点の上側において、ひいては冷却要素４３から離れるように向けられる面において接触される。結果として、接触力ＦKの作用方向は、押圧力ＦAの作用方向と同一である。したがって、この実施形態において、平坦なブレード接点４６が周囲に沿って等間隔に配されるとき、接触力ＦKは、伝熱性要素４７と冷却要素４３との間の接触圧を補助する。
【００４１】
本発明の最後の実施形態が図２３に表されている。また、ここでは、ベース接点５０は周囲方向に突出する、又は半径方向に向けられる平坦なブレード接点５６として次いで形成される。しかしながら、ソケット接点は接触クランプとして形成されており、それら接触クランプの接触アーム５３は、両側において平坦なブレード接点５６に接触するとともに、少なくとも一側においてそれらブレード接点５６に電気的に接触する。この実施形態において、第１の接触アーム５３は、先の図２２のように、冷却要素４３から離れるように向けられる平坦なブレード接点５６の上面に接触する。第２の接触アーム５３は、冷却要素４３に向けられる平坦なブレード接点の他方の面において、平坦なブレード接点の底面に接触する。この接点配列体は、平坦なブレード接点５６におけるそれら接触アーム５３の両側での接触作用に起因して、接触安全性に関する利点を概ね有しており、このことは図２０に係る実施形態においてもさらに適用される。
【００４２】
図２３から分かるように、接触力は、平坦なブレード接点５６と、冷却要素４３に隣接する下方接触アーム５３との間において、押圧力ＦAに対向して作用する。原則的に、この力成分は、押圧力ＦAに対向して作用するように、また、熱伝達作用に不利な意味において重要である冷却要素４３と伝熱性要素４７との間の接触力を低減するように形成される。これを防止するために、ソケット接点４４は、ソケット接点４４がソケットハウジングにおいて移動可能であるように、押圧力ＦAの作用方向に対して平行に支持される。結果的に、押圧力の作用方向に対向して向けられる力成分は効果的ではあり得ない。
【００４３】
要するに、本発明は、ソケット接点４４，１４及びベース接点５０，２１の種々の接点構成体及び接点配列体を表しており、それらにおいては、接触力ＦKが押圧力ＦAに対向する力を発生させることなく作用する。このことは、接触力が押圧力に対して横方向に、又は押圧力の作用方向に概ね整列するように、それら接点が互いに対して配列される場合において、特に提供される。しかしながら、接触配列体が押圧力の作用方向に対向して向けられる接触力成分を有するとき、ランプソケット４２，１１及びランプベース４２，１７のうちの少なくとも一方の接点が分離されるように支持される必要がある。次いで、この力成分は押圧力ＦAに対向する効果を生じさせ得ない。
【符号の説明】
【００４４】
１０    ランプソケット及びランプベースの配列体
１１    ランプソケット
１２    冷却要素
１３    ソケットハウジング
１４    ソケット接点
１５    冷却リブ
１６    ベース受容部
１７    ランプベース
１８    光学部
１９    支持カム
２０    １３のロック溝
２１    ベース接点
２２    接触ピン
２３    １３の挿入溝
２４    接触クランプ
２５    ２４の接触アーム
２６    接点キャビティ
２７    接触領域
２８    ばねアーム
２９    平坦なブレード接点
４０    ランプソケット及びランプベースの配列体
４１    ランプベース
４２    ランプソケット
４３    冷却要素
４４    ソケット接点
４５    ベースハウジング
４６    ４５の底面
４７    伝熱性要素
４８    頂面
４９    ＬＥＤ
５０    ベース接点
５１    接触ピン
５２    接触クランプ
５３    接触アーム
５４    ４５の接触領域
５５    ４４のばねアーム
５６    平坦なブレード接点
ＦA    押圧力
ＦK    接触力
Ｍ    １０の鉛直中心軸線
Ｖ    ロックデバイス
【図１】
0005592488.tif 000002
【図２】
0005592488.tif 000003
【図３】
0005592488.tif 000004
【図４】
0005592488.tif 000005
【図５】
0005592488.tif 000006
【図６】
0005592488.tif 000007
【図７】
0005592488.tif 000008
【図８】
0005592488.tif 000009
【図９】
0005592488.tif 000010
【図１０】
0005592488.tif 000011
【図１１】
0005592488.tif 000012
【図１２】
0005592488.tif 000013
【図１３】
0005592488.tif 000014
【図１４】
0005592488.tif 000015
【図１５】
0005592488.tif 000016
【図１６】
0005592488.tif 000017
【図１７】
0005592488.tif 000018
【図１８】
0005592488.tif 000019
【図１９】
0005592488.tif 000020
【図２０】
0005592488.tif 000021
【図２１】
0005592488.tif 000022
【図２２】
0005592488.tif 000023
【図２３】
0005592488.tif 000024